(57)【要約】      （修正有）【課題】ファッション性を損なうことなく、着用感が良く、動き易いブラウスを提供することを目的とするものである。腕を上げ下げしても着崩れが抑えられ、ブラウスの裾がスカートやスラックスから滑りでるのを防止されるブラウスを提供する。【解決手段】袖の脇下の箇所において、前袖４ａおよび後袖４ｂがそれぞれ三角形に切り欠かれ、該切り欠かれた箇所にそれぞれ三角形のマチ布６ａ、６ｂが設けられ、各三角形のマチ布において、一辺６１ａ、６１ｂは袖本体に縫着され、他の一辺６２ａ、６２ｂは袖下縫い目線に沿って互い縫着され、残りの一辺６３ａ、６３ｂはアームホールに沿って前袖側のマチ布６ａは前身頃に、後袖側のマチ布６ｂは後身頃にそれぞれ縫着されており、各三角形のマチ布における袖下縫い目線に沿って互い縫着される一辺６２ａ、６２ｂがそれぞれバイアス状であることを特徴としてブラウスを構成する。【選択図】図４
0003161477.tif 000002
【実用新案登録請求の範囲】
【請求項１】
袖の脇下の箇所において、前袖側および後袖側がそれぞれ三角形に切り欠かれ、該切り欠かれた箇所にそれぞれ三角形のマチ布が設けられ、各三角形のマチ布において、一辺は袖本体に縫着され、他の一辺は袖下縫い目線に沿って互い縫着され、残りの一辺はアームホールに沿って前袖側のマチ布は前身頃に、後袖側のマチ布は後身頃にそれぞれ縫着されており、各三角形のマチ布における袖下縫い目線に沿って互い縫着される前記一辺がそれぞれバイアス状であることを特徴とするブラウス。
【請求項２】
袖のパターンにおいて、袖下線と袖付け線と両者を結ぶ斜め線とからなる三角形を前袖側および後袖側でそれぞれ切り欠き、前記それぞれの切り欠きに嵌められるそれぞれのマチ布のパターンは、前記斜め線と同じ長さの斜め線を有し且つ前記切り欠きの袖下線と斜め線とがなす角度と同じ角度をなして斜め線から袖下線が引かれ、該マチ布の袖下線が前記切り欠きの袖下線の長さよりも１ｍｍ〜２０ｍｍ長く且つ前袖側のマチ布と後袖側のマチ布で同じ長さであり、マチ布の斜め線の端と袖下線の端とを結ぶ曲線が袖付け線であり、前身頃および後身頃のパターンにおいて前記袖付け線の長さの変化に対応して前身頃および後身頃のアームホールの形状を変化させて、これらのパターンに基づいて生地を裁断し、縫製して製作されたことを特徴とする請求項１に記載のブラウス。
【請求項３】
袖下縫い目線が袖口からマチ布を通って脇縫い目線に連続しており、袖口から裾まで一回の縫製で縫われていることを特徴とする請求項１または請求２に記載のブラウス。
【請求項４】
背中心にインバーティド・プリーツが設けられており、該インバーティド・プリーツの上端は背中心の上端から５〜８ｃｍ下がって位置しており、インバーティド・プリーツの長さが１８〜２３ｃｍであることを特徴とする請求項１〜請求項３の何れか１項に記載のブラウス。
【請求項５】
背中の上部にヨークがあり、該ヨークの下側からインバーティド・プリーツが形成されていることを特徴とする請求項１〜請求項４の何れか１項に記載のブラウス。
【考案の詳細な説明】
【技術分野】
【０００１】
本考案は上衣に関し、特に、ブラウスに関するものである。
【背景技術】
【０００２】
ブラウスはその裾をスカートやスラックスの中に入れた状態で着用することが多く、特にきちんとした服装が求められる職場ではブラウスは裾をスカートやスラックスの中に入れて着用している。
【０００３】
また、一般的にブラウスは非伸縮性の生地で製作されるので、動き易くするために、身体にフィットせずに、身体から離れた大きく太いシルエットとなるように製作されている。
【０００４】
ところが、ブラウスを着用した状態で身体を動かすと、特に、腕を上げ下げする動作を行うと、裾が持ち上がって来て、スカートやスラックスのウエストベルトのすぐ上の箇所でブラウスが弛んだ状態となってしまう。このような状態はだらしなく見えるので好ましくない。
【０００５】
従来、ジャンパー等の作業着やジャケットにおいて腕の前後左右の動きを行い易くするために、上着の脇下にマチを設けることが、例えば、特公平４−２８８０２号公報（特許文献１）、特開２００４−２３８７４３号公報（特許文献２）、特開平９−３１０２１３号公報（特許文献３）、特開２００６−２３０６号公報（特許文献４）において提案されている
【先行技術文献】
【特許文献】
【０００６】
【特許文献１】特公平４−２８８０２号公報
【特許文献２】特開２００４−２３８７４３号公報
【特許文献３】特開平９−３１０２１３号公報
【特許文献４】特開２００６−２３０６号公報
【考案の概要】
【考案が解決しようとする課題】
【０００７】
特許文献１の上衣においては、袖と身頃の間に、袖ぐりの５０％以上の長さに亘って脇下マチが挿入され縫着されている。この脇下マチは円弧と直線とからなる２つの三日月形状を合わせたラグビーボールのような形状であり、腕を挙げたときだけでなく、腕をさげている状態でも、脇下マチは見えてしまい、外観が悪いと言う問題がある。しかも、このような脇下マチを袖および身頃に縫着するには、通常の縫製手順と異なって、前身頃と後身頃とを肩線および脇線で縫合せて、袖を袖下線で縫合せて筒状としてから、袖を部分的に前身頃および後身頃と縫合せ、その後に、脇下マチの縁を袖および身頃にそれぞれ縫合せることになる。このような工程は手間が掛かり、しかも縫製作業が難しく、綺麗に仕上げることが困難であると言う問題がある。
【０００８】
特許文献２の上衣は特許文献１の上衣を改良したものであり、略楕円形状の脇下マチが袖ぐりの５０％未満の長さで脇下に設けられたものである。袖および身頃に縫着される長さをわずかに短くしただけであるので、腕を少し挙げただけでも脇下マチが見えてしまい、やはり見栄えが悪いと言う問題がある。その上、特許文献１と同様に縫製工程は手間が掛かり、しかも縫製作業が難しく、綺麗に仕上げることが困難であると言う問題がある。
【０００９】
特許文献３の衣服はジャンパー（作業服）であり、アームホールの下側半分を取囲むように三日月形の脇下マチが設けられている。このような脇下マチは一目でその存在が分かり、見栄えが悪いものである。また、この脇下マチを袖および身頃に縫着するには、前身頃と後身頃の脇線を縫合せ、前身頃と後身頃に脇下マチを縫合せ、前身頃と後身頃の肩線を縫合せ、袖の袖下線を縫合せ、袖を身頃と脇下マチと縫合せて袖付けを行うことになる。しかし、このような縫製工程は通常の縫製手順と異なり、手間が掛かり、しかも縫製作業が難しく、綺麗に仕上げることが困難であると言う問題がある。
【００１０】
特許文献４の衣服はジャンパー（作業服）であり、伸縮方向が異なる前脇下マチと後脇下マチとを設けているが、何れのマチも外から見えてしまい、見栄えが悪い。また、このようなマチを縫い付ける縫製工程は通常の縫製手順と異なり、手間が掛かり、しかも縫製作業が難しく、綺麗に仕上げることが困難であると言う問題がある。
【００１１】
本考案は上述のような従来のブラウスに見られる問題を解決し、ファッション性を損なうことなく、着用感が良く、動き易いブラウスを提供することを目的とするものである。
【００１２】
特に、腕を上げ下げしても着崩れが抑えられ、ブラウスの裾がスカートやスラックスから滑りでるのを防止されるブラウスを提供することを目的とするものである。
【００１３】
また、通常のブラウスの縫製工程と同様な工程で製作することができるブラウスを提供することを目的とするものである。
【課題を解決するための手段】
【００１４】
本考案は、袖の脇下の箇所において、前袖側および後袖側がそれぞれ三角形に切り欠かれ、該切り欠かれた箇所にそれぞれ三角形のマチ布が設けられ、各三角形のマチ布において、一辺は袖本体に縫着され、他の一辺は袖下縫い目線に沿って互い縫着され、残りの一辺はアームホールに沿って前袖側のマチ布は前身頃に、後袖側のマチ布は後身頃にそれぞれ縫着されており、各三角形のマチ布における袖下縫い目線に沿って互い縫着される一辺がそれぞれバイアス状であることを特徴とするブラウスにより、前記目的を達成した。
【００１５】
なお、本考案における三角形のマチ布とは、幾何学的な意味での三角形（３つの辺が全て直線からなるもの）をしたものを指すのではなく、本考案のマチ布では身頃と縫着されるマチ布の一辺は緩やかな曲線となるので、略三角形状のものを言う。
【００１６】
本考案によれば、袖のパターンにおいて、袖下線と袖付け線と両者を結ぶ斜め線とからなる三角形を前袖側および後袖側でそれぞれ切り欠き、前記それぞれの切り欠きに嵌められるそれぞれのマチ布のパターンは、前記斜め線と同じ長さの斜め線を有し且つ前記切り欠きの袖下線と斜め線とがなす角度と同じ角度をなして斜め線から袖下線が引かれ、該マチ布の袖下線が前記切り欠きの袖下線の長さよりも１ｍｍ〜２０ｍｍ長く且つ前袖側のマチ布と後袖側のマチ布で同じ長さであり、マチ布の斜め線の端と袖下線の端とを結ぶ曲線が袖付け線であり、前身頃および後身頃のパターンにおいて前記袖付け線の長さの変化に対応して前身頃および後身頃のアームホールの形状を変化させて、これらのパターンに基づいて生地を裁断し、縫製して、ブラウスを製作することができる。
【００１７】
この場合、袖下縫い目線が袖口からマチ布を通って脇縫い目線に連続しており、袖口から裾まで一回の縫製で縫われていることが好ましい。
【００１８】
本考案のブラウスは、背中心にインバーティド・プリーツ（すなわち、逆ひだ、拝みひだといわれるもので、ひだ山が突合せになったプリーツ）が設けられており、該インバーティド・プリーツの上端は背中心の上端から５〜８ｃｍ下がって位置しており、インバーティド・プリーツの長さが１８〜２３ｃｍであることが好ましい。
【００１９】
インバーティド・プリーツを設ける場合、背中の上部にヨークを設け、ヨークの下側からインバーティド・プリーツが形成することが好ましい。
【考案の効果】
【００２０】
本考案によれば、袖の脇下の箇所において、前袖側および後袖側がそれぞれ三角形に切り欠かれており、この切り欠かれた箇所にそれぞれ三角形のマチ布が設けているので、腕を水平に挙げた程度ではマチ布は見えないので、外観は普通のブラウスと同じように見え、ファッション性を損なうことがない。
【００２１】
本考案によれば、各三角形のマチ布における袖下縫い目線に沿って互い縫着される一辺（以下、マチ布の袖下辺と称する）がそれぞれバイアス状であるため、マチ布の袖下辺は伸びることができるので、腕の上げ下げを行い易い。
【００２２】
特に、マチ布のバイアス状の袖下辺を元の袖の切り欠き箇所の袖下長さよりも多少長くし、身頃のアームホールの最下点を多少下げるようにアームホールの形状を変化させることにより、腕はより一層、動かし易くなる。そして、腕を挙げても、身頃の脇下部分を引上げることが殆どないので、ブラウスの裾がボトム（スカートやスラックス）から滑りでてこない。
【００２３】
本考案によれば、袖の脇下の箇所において、前袖側および後袖側がそれぞれ三角形に切り欠かかれており、この切り欠かれた箇所にそれぞれ三角形のマチ布を縫着するという一工程が増えるが、その他は通常の縫製工程と全く同じに行うことができる。すなわち、従来のマチを設ける場合と異なって、手間隙や熟練を必要とせず、ブラウスを綺麗に仕上げることができる。
【００２４】
更に、本考案のブラウスによれば、背中心にインバーティド・プリーツが設けられているので、腕を前方に伸ばす動きや、腕組みをする動きを行い易い。特に、本考案によれば、このインバーティド・プリーツの上端が背中心の上端から５〜８ｃｍ下がって位置させ、インバーティド・プリーツの長さを１８〜２３ｃｍとしたことにより、インバーティド・プリーツは身体の動き（腕を前方に伸ばす等の動き）に合わせて開き、静止状態ではひだはきちんと元どおりに納まり、開きっ放しにならず、すっきりとしたスタイルとなる。
【００２５】
本考案のブラウスによれば、袖の脇下に２つの三角形のマチ布を設けたことと、背中にインバーティド・プリーツを設けたことにより、従来ブラウスのように袖や身頃を太めにしなくとも、動き易いので、無駄なゆとりを削ぎ落として細身のシルエットとすることができる。
【図面の簡単な説明】
【００２６】
【図１】本考案のブラウスの一実施例の正面図である。
【図２】図１に示したブラウスの背面図である。
【図３】図１に示したブラウスを着用し、左腕を挙げた状態を示す側面図である。
【図４】本考案のブラウスにおける袖およびマチ布の一実施例のパターンを示す平面図である。
【図５】本考案のブラウスにおける後身頃の一実施例のパターンを示す平面図である。
【考案を実施するための形態】
【００２７】
以下、図面に示した実施例に基いて本考案を詳細に説明する。
【００２８】
図１および図２は本考案のブラウス１０の一実施例であり、一見した外観は普通のブラウスと同じである。図１および図２に示した実施例のブラウスは前身頃１が左右に分かれた前開きであり、ダーツ１ａが設けられている。後身頃２にもダーツ２ａが設けられており、細身のシルエットとなっている。
【００２９】
肩部にはヨーク３が設けられ、このヨーク３は１枚布からなり、前身頃１と後身頃２の上端部に縫着されている。袖４は１枚布からなり、身頃１、２に縫着されている。後身頃２の背中心２ｃに、ヨーク３の下端からインバーティド・プリーツ２ｂが設けられている。インバーティド・プリーツ２ｂは長さが１８〜２３ｃｍであり、肩甲骨の下付近の高さで終わっている。インバーティド・プリーツ２ｂのひだの深さは片側で１．５ｃｍと、背中心のひだ山にはコバ・ステッチ（布の折り端の飾り縫い）２ｄが掛けられ、ひだが一旦開いても、元の閉じた形に戻り易くしている。
【００３０】
袖４の先端にはカフス４ｃが付けられている。衿５がヨーク３と前身頃１に縫着されている。
【００３１】
図３に示すように、袖４の脇下の箇所において、前袖４ａおよび後袖４ｂがそれぞれ三角形に切り欠かれいる。この切り欠かれた箇所にそれぞれ三角形のマチ布６ａ、６ｂが設けられている。各マチ布６ａ、６ｂは、一辺が前袖４ａまたは後袖４ｂに縫着され、他の一辺が袖下縫い目線４４に沿って互い縫着され、残りの一辺がアームホール７に沿って前袖側のマチ布６ａは前身頃１に、後袖側のマチ布６ｂは後身頃２にそれぞれ縫着されている。
【００３２】
図４に示した袖４のパターンにおいて、符号４１は袖山線、符号４２は袖山の高さを決める際の基礎線、符号４３は袖付け線を表わす。図４において袖山線４１の右側が前袖４ａで、左側が後袖４ｂである。符号４４ａは前袖４ａ側の袖下線、符号４４ｂは後袖４ｂ側の袖下線である。袖下線４４ａと袖下線４４ｂとが縫合わされると、袖下縫い目線４４となる。
【００３３】
図４に示した袖のパターンにおいて、袖付け線４３と袖下線４４ａ、４４ｂとが交差する脇下箇所が斜めに切り欠かれている。切り欠かれた部分の袖付け線４３と袖下線４４ａ、４４ｂは点線で示した。すなわち、前袖４ａおよび後袖４ｂ側において、点線で示した袖下線４４ａまたは４４ｂと、点線で示した袖付け線４３と、両者を結ぶ斜め線４５ａまたは４５ｂとからなる三角形をそれぞれ切り欠いた。
【００３４】
これらの切り欠き箇所にマチ布６ａ、６ｂが設けられる。図４に示したマチ布のパターンにおいて、マチ布６ａ、６ｂの一辺６１ａ、６１ｂが袖４の斜め線４５ａ、４５ｂと同じ長さである。この一辺６１ａ、６１ｂをマチ布の斜め線という。
【００３５】
マチ布６ａ、６ｂの他の一辺６２ａ、６２ｂは袖の切り欠き部分における袖下線と斜め線とがなす角度α、α′と同じ角度α、α′をなしてマチ布の斜め線６１ａ、６１ｂから引かれ、これをマチ布の袖下線という。マチ布の袖下線６２ａ、６２ｂは袖４の切り欠き箇所における袖下線の長さと同じでもよいが、１ｍｍ〜２０ｍｍ長いことが好ましい。また、マチ布６ａの袖下線６２ａとマチ布６ｂの袖下線６２ｂとは同じ長さである。
【００３６】
マチ布６ａ、６ｂの残りの一辺６３ａ、６３ｂは、袖４の袖付け線４３に連続する袖付け線であり、緩やかな曲線を描いている。
【００３７】
図５は後身頃のパターンの一実施例であり、点線で従来の元型を示し、実線で本考案のブラウスのパターンを示した。本考案では袖ぐり線７ｂのカーブが点線で示した元の袖ぐりのカーブよりも湾曲しておらず、袖ぐり線７ｂの最下点（アームホールの最下点）が点線で示した元の位置よりも５〜２０ｍｍ下がっている。前身頃のパターンにおいても同様に袖ぐり線の形状を変えて、前身頃と後身頃の袖ぐり線の最下点の位置が一致するようにする。
【００３８】
前身頃１および後身頃２において袖ぐりの長さが変化した場合（元よりも長くなった場合）、同様に、マチ布６ａおよび６ｂの袖付け線６３ａ、６３ｂの長さもそれに対応して変化させる（長くする）。マチ布６ａ、６ｂの袖下線６２ａ、６２ｂを長くすると、マチ布６ａ、６ｂの袖付け線６３ａ、６３ｂの長さも長くできる。
【００３９】
また、図５に示した実施例では、ヨーク３の丈を従来よりも短くして、背中心の上端から５〜８ｃｍ下がったところまでとして、ヨークの切り替え箇所（ヨークの下端）が肩甲骨の上に位置するようにした。
【００４０】
図３に示したパターンに基いて生地を裁断する場合、袖４の本体における布目方向（経糸方向または緯糸方向）は袖山線４１が布目方向（普通は経糸方向）Ｙとなるように生地上にパターンを配置し、裁断する（なお、コンピュータを使用して裁断する場合は、現実にパターンを生地の上に配置して裁断するのではなく、コンピュータで生地とパターンの関係を入力して型入れを行い、裁断する）。一方、マチ布６ａ、６ｂは袖下線６２ａ、６２ｂの部分が伸びやすいように、袖下線６２ａ、６２ｂがバイアスになるように生地上にパターンを配置し、裁断する。この場合、必ずしも正バイアスでなくともよいが、なるべく正バイアスに近い角度とすることが好ましい。図４に示した実施例では、マチ布６ａ、６ｂの布目方向Ｙは斜め線６１ａ、６１ｂに平行しており、袖本体４の布目方向Ｙとは交差している。
【００４１】
パターンに基いて裁断された生地を縫製する場合、マチ布６ａの斜め線６１ａと前袖４ａの斜め線４５ａとを縫合せ、マチ布６ｂの斜め線６１ｂを後袖４ｂの斜め線４５ｂとを縫合せる。前身頃１と後身頃２とをそれぞれヨーク３に縫着する。前身頃１と後身頃２との脇縫いを行う前に、袖４の袖付け線４３とマチ布６ａ、６ｂの袖付け線６３ａ、６３ｂを身頃１、２、３の袖ぐり７に縫着する。
【００４２】
そして、前袖４ａの袖下線４４ａと後袖４ｂの袖下線４４ａを縫合せ、続けてマチ布６ａの袖下線６２ａとマチ布６ｂの袖下線６２ｂを縫合せ、更に続けて前身頃１と後身頃２との脇縫いを行う。
【００４３】
このように縫製すると、袖下縫い目線４４が袖４の袖口（カフスを除く）からマチ布６ａ、６ｂを通って、身頃１、２の脇縫い目線１２に連続しており、袖口から裾まで一回の縫製で縫うことができる。
【００４４】
前身頃１の前立て、後身頃２のインバーティド・プリーツ２ｂ、衿付け、カフス等の縫製については従来と同様の手順で行うことができる。これにより、本考案のブラウスが完成する。
【符号の説明】
【００４５】
１  前身頃
２  後身頃
３  ヨーク
４  袖
６ａ、６ｂ  マチ布
６１ａ、６１ｂ  マチ布の斜め線
６２ａ、６２ｂ  マチ布の袖下線
６３ａ、６３ｂ  マチ布の袖付け線
４４  袖下縫い目線
４４ａ、４４ｂ  袖下線
【図１】
0003161477.tif 000003
【図２】
0003161477.tif 000004
【図３】
0003161477.tif 000005
【図４】
0003161477.tif 000006
【図５】
0003161477.tif 000007